(57)【要約】【課題】ユーザが使用する携帯電話のエリアに応じて使用の制限を効果的に行うことが可能な情報処理装置、携帯電話システム、制御方法、及びプログラムを提供する。【解決手段】携帯電話が使用制限を受けるエリアに入り得る状況になると、装置１０２は、警告メッセージや警告音の鳴動を携帯電話１０５に指示し（ステップＳ２３０１、ステップＳ２３０２）、携帯電話の使用を制限するため、その設定値をＳＭＳ送信を当該携帯電話１０５に送信し（ステップＳ２３０３）、このＳＭＳを受信した携帯電話は（ステップＳ２３０４）、ＳＭＳに含まれる設定値に基づいて、使用モードの切替を行う（ステップＳ２３０８）。【選択図】図２３
2013135461.tif 000002
【特許請求の範囲】
【請求項１】
携帯電話と前記携帯電話が利用されている位置に応じて前記携帯電話に対して使用制限を指示する情報処理装置と、からなる携帯電話システムであって、
前記携帯電話は、
前記情報処理装置からの使用制限の指示種別を受信する受信手段と、
前記受信手段によって受信した使用制限の指示種別に応じて、前記携帯電話の使用モードを切り替える切り替え手段と、
を備え、
前記情報処理装置は、
前記携帯電話の位置に応じて前記使用制限の指示種別を設定する設定手段と、
前記携帯電話の位置に対応する前記設定手段によって設定された指示種別を前記携帯電話に送信する送信手段と、
を備えたことを特徴とする携帯電話システム。
【請求項２】
前記携帯電話は、前記使用制限の指示種別を変更する変更手段を備え、
前記切り替え手段は、前記受信手段によって受信した指示種別と前記変更手段によって変更した指示種別とを比較して得られたより強制力のある指示種別を用いて、前記携帯電話の使用モードを切り替えることを特徴とする請求項１に記載の携帯電話システム。
【請求項３】
前記切り替え手段は、前記変更した指示種別と前記受信した指示種別とが同等な強制力を有する指示種別である場合、前記変更した指示種別を用いて、前記携帯電話の使用モードを切り替えることを特徴とする請求項１または２に記載の携帯電話システム。
【請求項４】
前記送信手段は、ＳＭＳを用いて前記指示種別を前記携帯電話に送信することを特徴とする請求項１乃至３の何れか１項に記載の携帯電話システム。
【請求項５】
前記情報処理装置は、前記携帯電話の位置に応じて使用モードの切り替えが生じ得ることを前記携帯電話に通知する通知手段を備えたことを特徴とする請求項１乃至４の何れか１項に記載の携帯電話システム。
【請求項６】
前記送信手段は、前記携帯電話の位置に応じて前記切り替え手段によって切り替えた使用モードを解除する指示種別を送信することを特徴とする請求項１乃至５の何れか１項に記載の携帯電話システム。
【請求項７】
前記指示種別は、前記切り替え手段によって使用モードが切り替わってから所定時間経過後、切り替え前の使用モードに戻すことを特徴とする請求項１乃至６の何れか１項に記載の携帯電話システム。
【請求項８】
携帯電話が利用されている位置に応じた使用制限の指示種別によって使用モードの切替を前記携帯電話に対して指示する情報処理装置であって、
前記携帯電話の位置に応じて前記携帯電話の使用制限の指示種別を設定する設定手段と、
前記携帯電話の位置に対応する前記設定手段によって設定された指示種別を前記携帯電話に送信する送信手段と、
を備えたことを特徴とする情報処理装置。
【請求項９】
携帯電話と前記携帯電話が利用されている位置に応じて前記携帯電話に対して使用制限を指示する情報処理装置と、からなる携帯電話システムの制御方法であって、
前記携帯電話は、
前記情報処理装置からの使用制限の指示種別を受信する受信ステップと、
前記受信ステップによって受信した使用制限の指示種別に応じて、前記携帯電話の使用モードを切り替える切り替えステップと、
を実行し、
前記情報処理装置は、
前記携帯電話の位置に応じて前記使用制限の指示種別を設定する設定ステップと、
前記携帯電話の位置に対応する前記設定ステップによって設定された指示種別を前記携帯電話に送信する送信ステップと、
を実行することを特徴とする携帯電話システム。
【請求項１０】
携帯電話と前記携帯電話が利用されている位置に応じて前記携帯電話に対して使用制限を指示する情報処理装置と、からなる携帯電話システムにおいて実行されるプログラムであって、
前記携帯電話を、
前記情報処理装置からの使用制限の指示種別を受信する受信手段と、
前記受信手段によって受信した使用制限の指示種別に応じて、前記携帯電話の使用モードを切り替える切り替え手段と、
として機能させ、
前記情報処理装置を、
前記携帯電話の位置に応じて前記使用制限の指示種別を設定する設定手段と、
前記携帯電話の位置に対応する前記設定手段によって設定された指示種別を前記携帯電話に送信する送信手段と、
して機能させることを特徴とするプログラム。
【請求項１１】
携帯電話が利用されている位置に応じた使用制限の指示種別によって使用モードの切替を前記携帯電話に対して指示する情報処理装置の制御方法であって、
前記情報処理装置の設定手段が、前記携帯電話の位置に応じて前記携帯電話の使用制限の指示種別を設定する設定ステップ、
前記情報処理装置の送信手段が、前記携帯電話の位置に対応する前記設定ステップによって設定された指示種別を前記携帯電話に送信する送信ステップ、
を含むことを特徴とする情報処理装置の制御方法。
【請求項１２】
携帯電話が利用されている位置に応じた使用制限の指示種別によって使用モードの切替を前記携帯電話に対して指示する情報処理装置において実行するプログラムであって、
前記情報処理装置を、
前記携帯電話の位置に応じて前記携帯電話の使用制限の指示種別を設定する設定手段と、
前記携帯電話の位置に対応する前記設定手段によって設定された指示種別を前記携帯電話に送信する送信手段と、
して機能させることを特徴とするプログラム。
【発明の詳細な説明】
【技術分野】
【０００１】
本発明は、携帯電話によって、使用されるエリアによって使用の制限を行う技術に関する。
【背景技術】
【０００２】
近年、携帯電話の使用を制限するエリアが増加している。一例として、飛行機や試験会場等、携帯電話の電源を切る必要があるエリア（強制電源ＯＦＦ）、病院等、携帯電話の電波をＯＦＦとする必要があるエリア（強制電波ＯＦＦ）、映画館や美術館等、携帯電話のディスプレイ照明ＯＦＦや静音モードにしておくことが推奨されるエリア（推奨マナー）等があげられるが、これらのエリアに応じて、携帯電話の使用制限をユーザに委ねるとすると、ユーザによっては、制限を守らずに使用を行うことも多々生じ得るため、周囲への迷惑にも繋がり兼ねない。
【０００３】
そこで、そのエリアの管理者が携帯電話のユーザへ個別に対応を促す必要があるため、システムを用いて、携帯電話の使用を自動で制限する技術が考えられている。（以下、そのようなシステムを制御する装置のことを、携帯電話使用制限設定装置と呼ぶ。）
【０００４】
その１つとして、特許文献１、特許文献２、特許文献３に記載の技術では、強制電源ＯＦＦを行うためのシステムが開示されており、特許文献４に記載の技術では、携帯電話の各種使用制限を行うためのシステムが開示されている。
【０００５】
また、特許文献５に記載の技術では、強制電波ＯＦＦを行うためのシステムが開示されており、また、特許文献６に記載の技術では、静音モード切り替えを行うためのシステムが開示されている。
【先行技術文献】
【特許文献】
【０００６】
【特許文献１】特開２００１−３４６２６０号公報
【特許文献２】特開平１１−１２７１０１号公報
【特許文献３】特開２００２−１５９０５９号公報
【特許文献４】特開２００１−３３９７６１号公報
【特許文献５】特開２０００−３２４５３９号公報
【特許文献６】特開２００３−２４４２９２号公報
【発明の概要】
【発明が解決しようとする課題】
【０００７】
特許文献１、特許文献２、特許文献３、特許文献５、及び特許文献６に記載の技術では、携帯電話使用制限制御装置上から携帯電話へ通知される使用制限の種類は固定化されており、携帯電話使用制限制御装置の管理者及び携帯電話ユーザの双方とも状況に合わせたカスタマイズを行うことができず、更には、ユーザに通知することなく強制的に携帯電話の設定を変更するため、ユーザが意図せず携帯電話の使用設定を変更されてしまう問題があった。
【０００８】
さらに、特許文献１、特許文献２、特許文献４に記載の技術では、携帯電話への使用制限の解除を行う手法が確立されておらず、特許文献３、特許文献５、特許文献６に記載の技術では、使用制限の解除を行うためにネットワークによる通信を行う必要があり、実運用上の手間が必要であった。
【０００９】
また、特許文献１、特許文献２、特許文献３、特許文献４、特許文献５、及び特許文献６に記載の技術では、携帯電話使用制限制御装置が、携帯電話に通知する使用制限の種類をサーバ等から一括設定することが出来ない。そのため、装置の管理者が装置個別に設定を行う必要があり、手間がかかっていた。
【００１０】
そこで、上記課題を解決するために、ユーザが使用する携帯電話のエリアに応じて使用の制限を効果的に行うことが可能な情報処理装置、携帯電話システム、制御方法、及びプログラムを提供することを目的とする。
【課題を解決するための手段】
【００１１】
上記課題を解決するための第一の発明は、携帯電話と前記携帯電話が利用されている位置に応じて前記携帯電話に対して使用制限を指示する情報処理装置と、からなる携帯電話システムであって、前記携帯電話は、前記情報処理装置からの使用制限の指示種別を受信する受信手段と、前記受信手段によって受信した使用制限の指示種別に応じて、前記携帯電話の使用モードを切り替える切り替え手段と、を備え、前記情報処理装置は、前記携帯電話の位置に応じて前記使用制限の指示種別を設定する設定手段と、前記携帯電話の位置に対応する前記設定手段によって設定された指示種別を前記携帯電話に送信する送信手段と、を備えたことを特徴とする携帯電話システムである。
【００１２】
上記課題を解決するための第二の発明は、携帯電話が利用されている位置に応じた使用制限の指示種別によって使用モードの切替を前記携帯電話に対して指示する情報処理装置であって、前記携帯電話の位置に応じて前記携帯電話の使用制限の指示種別を設定する設定手段と、前記携帯電話の位置に対応する前記設定手段によって設定された指示種別を前記携帯電話に送信する送信手段と、を備えたことを特徴とする情報処理装置である。
【００１３】
上記課題を解決するための第三の発明は、携帯電話と前記携帯電話が利用されている位置に応じて前記携帯電話に対して使用制限を指示する情報処理装置と、からなる携帯電話システムの制御方法であって、前記携帯電話は、前記情報処理装置からの使用制限の指示種別を受信する受信ステップと、前記受信ステップによって受信した使用制限の指示種別に応じて、前記携帯電話の使用モードを切り替える切り替えステップと、を実行し、前記情報処理装置は、前記携帯電話の位置に応じて前記使用制限の指示種別を設定する設定ステップと、前記携帯電話の位置に対応する前記設定ステップによって設定された指示種別を前記携帯電話に送信する送信ステップと、を実行することを特徴とする携帯電話システムである。
【００１４】
上記課題を解決するための第四の発明は、携帯電話と前記携帯電話が利用されている位置に応じて前記携帯電話に対して使用制限を指示する情報処理装置と、からなる携帯電話システムにおいて実行されるプログラムであって、前記携帯電話を、前記情報処理装置からの使用制限の指示種別を受信する受信手段と、前記受信手段によって受信した使用制限の指示種別に応じて、前記携帯電話の使用モードを切り替える切り替え手段と、として機能させ、前記情報処理装置を、前記携帯電話の位置に応じて前記使用制限の指示種別を設定する設定手段と、前記携帯電話の位置に対応する前記設定手段によって設定された指示種別を前記携帯電話に送信する送信手段と、して機能させることを特徴とするプログラムである。
【００１５】
上記課題を解決するための第五の発明は、携帯電話が利用されている位置に応じた使用制限の指示種別によって使用モードの切替を前記携帯電話に対して指示する情報処理装置の制御方法であって、前記情報処理装置の設定手段が、前記携帯電話の位置に応じて前記携帯電話の使用制限の指示種別を設定する設定ステップ、前記情報処理装置の送信手段が、前記携帯電話の位置に対応する前記設定ステップによって設定された指示種別を前記携帯電話に送信する送信ステップ、を含むことを特徴とする情報処理装置の制御方法である。
【００１６】
上記課題を解決するための第六の発明は、携帯電話が利用されている位置に応じた使用制限の指示種別によって使用モードの切替を前記携帯電話に対して指示する情報処理装置において実行するプログラムであって、前記情報処理装置を、前記携帯電話の位置に応じて前記携帯電話の使用制限の指示種別を設定する設定手段と、前記携帯電話の位置に対応する前記設定手段によって設定された指示種別を前記携帯電話に送信する送信手段と、して機能させることを特徴とするプログラムである。
【発明の効果】
【００１７】
本発明によれば、ユーザが使用する携帯電話のエリアに応じて、ユーザが所望する使用設定を考慮しつつ、携帯電話の使用制限をかけることによって、効果的な使用制限方法を実現することが可能な携帯電話、携帯電話システム、制御方法、及びプログラムを提供することを目的とする。
【図面の簡単な説明】
【００１８】
【図１】本発明の実施形態に係る携帯電話システムの概略構成を示す構成図である。
【図２】装置群の装置の設置構成を説明するための説明図である。
【図３】本発明の実施形態において、携帯電話へ通知等を行う装置のハードウェア構成を示すブロック図である。
【図４】本発明の実施形態において、各装置へ設定値の登録等を行う装置のハードウェア構成を示すブロック図である。
【図５】本発明の実施形態において、各装置の設定を解除する装置のハードウェア構成を示すブロック図である。
【図６】本発明の実施形態に係るサーバのハードウェア構成を示すブロック図である。
【図７】本発明の実施形態に係る携帯電話１０５のハードウェア構成を示すブロック図である。
【図８】本発明の実施形態において、携帯電話に対して強制電源ＯＦＦエリアに居することを示す警告メッセージを表示するための画面の構成を示す構成図である。
【図９】本発明の実施形態において、携帯電話に対して強制電波ＯＦＦエリアに居することを示す警告メッセージを表示するための画面の構成を示す構成図である。
【図１０】本発明の実施形態において、携帯電話に対して携帯マナーモードを推奨するエリアに居することを示す警告メッセージを表示するための画面の構成を示す構成図である。
【図１１】本発明の実施形態において、携帯電話に対して携帯無音モードを推奨するエリアに居することを示す警告メッセージを表示するための画面の構成を示す構成図である。
【図１２】本発明の実施形態において、装置設定画面の構成を示す構成図である。
【図１３】本発明の実施形態において、装置詳細設定画面の構成を示す構成図である。
【図１４】本発明の実施形態において、装置ステータス一覧画面の構成を示す構成図である。
【図１５】本発明の実施形態において、装置登録画面の構成を示す構成図である。
【図１６】本発明の実施形態において、一括設定画面の構成を示す構成図である。
【図１７】本発明の実施形態において、使用制限設定画面の構成を示す構成図である
【図１８】携帯電話の使用エリアに応じて、携帯電話の使用を制限する処理の前準備として、携帯電話における処理を示すフローチャートである。
【図１９】サーバでの装置の登録処理及び装置及び他装置への設定値の反映処理を示すフローチャートである。
【図２０】装置における設定値の変更処理及びサーバへの設定値を反映する処理を示すフローチャートである。
【図２１】サーバの一括設定処理及び装置及び他装置への反映処理を示すフローチャートである。
【図２２】サーバの一括設定処理及び装置及び他装置への反映処理を示すフローチャートである。
【図２３】装置からの使用制限通知及び他装置からの使用制限実行処理と携帯電話への使用制限反映処理を示すフローチャートである。
【図２４】装置からの使用制限解除処理と携帯電話への使用制限解除反映処理を示すフローチャートである。
【図２５】本発明の実施形態に係る携帯電話システムにおいて実行される各種処理で用いられるテーブルの構成を示す構成図である。
【発明を実施するための形態】
【００１９】
以下、図面を参照して、本発明の実施形態を詳細に説明する。
【００２０】
図１は、携帯電話システムの概略構成を示しており、携帯電話システム１００は、ローカルネットワークにて接続されている装置１０１、装置１０２、及び装置１０３を１セットの装置群としており、この装置群の装置１０２と１又は複数のサーバ１０４が外部ネットワークを介して接続される構成となっている。
【００２１】
また、携帯電話１０５と装置１０１、装置１０２、及び装置１０３は、広域ネットワークを介して接続を行うことが可能な構成となっている。
【００２２】
装置１０１は、携帯電話１０５を手にしているユーザに対して、携帯電話１０５の使用を制限するエリア内に足を踏み入れていることを通知し、指示内容に従った処理を行うことを促すために、当該携帯電話１０５へ警告メッセージの表示及び警告音の鳴動を行う。尚、表示する警告メッセージ及び警告音の音量は、装置１０２より受け取った設定値に従う。
【００２３】
装置１０２は、装置１０２に保持している携帯電話の使用制限の種別に従って、携帯電話１０５の使用を制限するために、当該使用制限の種別を文書として含むＳＭＳ（ShortMessageService、以下、使用制限ＳＭＳ）を発信する。
【００２４】
携帯電話１０５は、使用制限ＳＭＳを受信すると、その使用制限ＳＭＳに含まれる使用制限の種別及び携帯電話１０５の不揮発記憶領域７１２（図７参照）に保持している使用制限に関する設定値に従って、使用制限を行うか否かの判定を行い、使用制限の必要があると判定した場合は、携帯電話１０５の使用を制限する処理を行う。
【００２５】
尚、装置１０２は、装置群全体としての設定状態を保持しており、装置１０１へは、警告メッセージ及び警告音の音量、警告時間、携帯電話の使用モードを特定するための使用制限に関する設定値（以下、使用制限設定値）を反映する。
【００２６】
また、装置１０２の現在の使用制限設定値は、外部ネットワークを介してサーバ１０４へ通知し、サーバ１０４から設定変更があった場合には使用制限設定値を受け取り、装置１０２の設定に反映する。
【００２７】
装置１０３は、携帯電話の使用の制限を解除する文書を含むＳＭＳ（以下、使用制限解除ＳＭＳ）を発信する。携帯電話１０５は、携帯電話の使用制限解除ＳＭＳを受信すると、携帯電話１０５の使用制限設定値を解除する処理を行う。
【００２８】
尚、サーバ１０４から１又は複数の装置１０２へ使用制限設定値の一括設定、あるいは一括設定解除を行うために、基本的にはサーバ１０４と装置１０２とは、外部ネットワークを介して接続を行うが、サーバ１０４から１又は複数の装置１０２への使用制限設定値に関する一括設定及び一括設定解除を行わない場合には、サーバ１０４の無い構成、又はネットワークで接続していない構成でも問題はない。その際には、装置１０２にて使用制限設定値を入力し、他の装置１０２に対して、使用制限設定値を反映させる方法でも問題ない。
【００２９】
また、装置１０２及びサーバ１０４の接続手段は、外部ネットワークでなくても双方向通信ができる手段であれば方法は問わない。
【００３０】
なお、装置１０１には、携帯電話から発せられる電波を検知する装置や、装置１０３には、人感センサを設置することで、携帯電話の電波を検知したときや、人感センサが感知したタイミング以外には、各装置をスリープ状態にすること等も行うような方法をとることも考えられる。
【００３１】
図２を用いて、装置群の設置構成を説明する。
【００３２】
装置群及び携帯電話の使用が制限されるエリアは、それぞれの場所で扱う電波及びＳＭＳを区別するため、電波遮断壁にて区切られている。また、携帯電話の使用が制限されるエリアへの入口には、装置１０１を設置し、当該エリアに向かって近づく途中に、装置１０２が設置されている。また、当該エリアの出口には装置１０３を設置する。
【００３３】
装置群は、このような構成を取ることによって、其々に配置された装置毎に役割を割当、携帯電話を手にしているユーザが、エリアに対しての位置に合わせて、当該携帯電話への使用の制限に関する処理を行うことを可能としている。
【００３４】
以下、図３を用いて、図１に示した装置１０１のハードウェア構成について説明する。
【００３５】
図３は、図１に示した装置１０１のハードウェア構成を示すブロック図である。
【００３６】
図３において、３０１はＣＰＵで、システムバス３０４に接続される各デバイスやコントローラを統括的に制御する。また、ＲＯＭ３０３には、ＣＰＵ３０１の制御プログラムであるＢＩＯＳやＯＳや、機能を実現するために必要な後述する各種プログラム、内部保持データ等が記憶されている。
【００３７】
３０２はＲＡＭで、ＣＰＵ３０１の主メモリ、ワークエリア等として機能する。ＣＰＵ３０１は、処理の実行に際して必要なプログラム等をＲＯＭ３０３からＲＡＭ３０２にロードして、ロードしたプログラムを実行することで各種動作を実現するものである。
【００３８】
３０５はビデオコントローラで、ディスプレイ３０８等の表示器への表示を制御する。なお、ディスプレイ３０８はＣＲＴや液晶ディスプレイなど、表示器の種別は問わず、必要に応じて管理者が使用するものである。３０６は通信Ｉ／Ｆコントローラで、ネットワークを介して外部機器と接続・通信するものであり、ネットワークでの通信制御処理を実行する。
【００３９】
３０７はサウンドコントローラで、スピーカー３０９への音出力を制御する。
【００４０】
以下、図４を用いて、図１に示した装置１０２のハードウェア構成について説明する。
【００４１】
図４は、図１に示した装置１０２のハードウェア構成を示すブロック図である。
【００４２】
図４において、４０１はＣＰＵで、システムバス４０４に接続される各デバイスやコントローラを統括的に制御する。また、ＲＯＭ４０３には、ＣＰＵ４０１の制御プログラムであるＢＩＯＳやＯＳや、機能を実現するために必要な後述する各種プログラム、内部保持データ等が記憶されている。
【００４３】
４０２はＲＡＭで、ＣＰＵ４０１の主メモリ、ワークエリア等として機能する。ＣＰＵ４０１は、処理の実行に際して必要なプログラム等をＲＯＭ４０３からＲＡＭ４０２にロードして、ロードしたプログラムを実行することで各種動作を実現するものである。
【００４４】
４０５は入力コントローラで、キーボード（ＫＢ）４１１や不図示のマウス等のポインティングデバイス等からの入力を制御する。４０６はビデオコントローラで、ディスプレイ４１２等の表示器への表示を制御する。なお、ディスプレイ４１２はＣＲＴや液晶ディスプレイなど、表示器の種別は問わず、必要に応じて管理者が使用するものである。
【００４５】
４０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ４１３へのアクセスを制御する。
【００４６】
４０８は通信Ｉ／Ｆコントローラで、ネットワークを介して外部機器と接続・通信するものであり、ネットワークでの通信制御処理を実行する。４０９はセンサコントローラで、人感センサ４１４からの入力を制御する。４１０はＳＭＳコントローラでＳＭＳ発信機４１５から送信されるＳＭＳの出力を制御する。
【００４７】
以下、図５を用いて、図１に示した装置１０３のハードウェア構成について説明する。
【００４８】
図５は、図１に示した装置１０３のハードウェア構成を示すブロック図である。
【００４９】
図５において、５０１はＣＰＵで、システムバス５０４に接続される各デバイスやコントローラを統括的に制御する。また、ＲＯＭ５０３には、ＣＰＵ５０１の制御プログラムであるＢＩＯＳやＯＳや、機能を実現するために必要な後述する各種プログラム、内部保持データ等が記憶されている。
【００５０】
５０２はＲＡＭで、ＣＰＵ５０１の主メモリ、ワークエリア等として機能する。ＣＰＵ５０１は、処理の実行に際して必要なプログラム等をＲＯＭ５０３からＲＡＭ５０２にロードして、ロードしたプログラムを実行することで各種動作を実現するものである。
【００５１】
５０５は通信Ｉ／Ｆコントローラで、ネットワークを介して外部機器と接続・通信するものであり、ネットワークでの通信制御処理を実行する。５０６はＳＭＳコントローラでＳＭＳ発信機５０７から送信されるＳＭＳの出力を制御する。
【００５２】
以下、図６を用いて、図１に示したサーバ１０４のハードウェア構成について説明する。
【００５３】
図６は、図１に示したサーバ１０４のハードウェア構成を示すブロック図である。
【００５４】
図６において、６０１はＣＰＵで、システムバス６０４に接続される各デバイスやコントローラを統括的に制御する。また、ＲＯＭ６０３には、ＣＰＵ６０１の制御プログラムであるＢＩＯＳやＯＳや、機能を実現するために必要な後述する各種プログラム、内部保持データ等が記憶されている。
【００５５】
６０２はＲＡＭで、ＣＰＵ６０１の主メモリ、ワークエリア等として機能する。ＣＰＵ６０１は、処理の実行に際して必要なプログラム等をＲＯＭ６０３からＲＡＭ６０２にロードして、ロードしたプログラムを実行することで各種動作を実現するものである。
【００５６】
６０５は入力コントローラで、キーボード（ＫＢ）６０９や不図示のマウス等のポインティングデバイス等からの入力を制御する。６０６はビデオコントローラで、ディスプレイ６１０等の表示器への表示を制御する。なお、ディスプレイ６１０はＣＲＴや液晶ディスプレイなど、表示器の種別は問わず、必要に応じて管理者が使用するものである。
【００５７】
６０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ６１１へのアクセスを制御する。６０８は通信Ｉ／Ｆコントローラで、ネットワークを介して外部機器と接続・通信するものであり、ネットワークでの通信制御処理を実行する。
【００５８】
以下、図７を用いて、図１に示した携帯電話１０５のハードウェア構成について説明する。
【００５９】
図７は、図１に示した携帯電話１０５のハードウェア構成を示すブロック図である。
【００６０】
７０１はＳＭＳ発信部で、グローバルネットワークにＳＭＳの発信制御処理を行い、７０２はＳＭＳ受信部で、グローバルネットワークからのＳＭＳの受信制御処理を行い、７０３は制御部で、各デバイスやコントローラを統括的に制御する。
【００６１】
７０４は使用制限判定部であり、ＳＭＳ受信部７０２により受信したＳＭＳに含まれる使用の制限に関する文書内容に従って使用制限の判定処理を行う。７０５は制限モード切り替え部であり、ＳＭＳ受信部７０２により使用制限ＳＭＳあるいは使用制限解除ＳＭＳを受信すると、制御部７０３はこの使用制限判定部７０４により使用制限判定を行い、その結果に基づき制限モード切り替え部７０５に切り替え処理要求を行う。
【００６２】
制限モード切り替え部７０５は、使用制限判定部７０４で判定した内容に従って、通信制御部７０７、電源部７０８、振動呼び出し部７０９、電子音呼び出し部７１０、ディスプレイ７１１への制御を行うことで、携帯電話１０５の使用モードの切替を行う。
【００６３】
以下、本実施形態に係る携帯電話システムにおける携帯電話の使用エリアに応じて、携帯電話の使用を制限する処理に関して全体の流れを説明する。
【００６４】
まず装置群において、装置１０２にて装置設定画面１２００（図１２参照）及び装置詳細設定画面１３００（図１３参照）より設定を行う、もしくはサーバ１０４にて装置登録画面１５００（図１５参照）にて装置登録を行い、登録された装置に対して、一括設定画面１６００（図１６参照）よりサーバ１０４から一括して使用制限設定値を装置１０２に反映させることにより、携帯電話の使用制限を制御することが可能となる。
【００６５】
図１２に示す装置設定画面１２００は、装置１０２における使用制限設定値を入力するための画面であり、複数の装置１０２に対して使用制限設定値を一括で設定する際の外部一括設定欄、強制電源ＯＦＦとして使用制限設定値を設定する強制電源ＯＦＦ欄、強制電波ＯＦＦとして使用制限設定値を設定する強制電波ＯＦＦ欄、携帯電話のマナーモード利用を推奨するとして使用制限設定値を設定する携帯マナーモード推奨欄、携帯電話の無音モード利用を推奨するとして使用制限設定値を設定する携帯無音モード推奨欄を含んで構成されている。
【００６６】
また、装置設定画面１２００は、使用制限設定値を設定するに当たり、詳細な内容を設定するための各詳細設定画面を起動させるため、強制電源ＯＦＦに関する画面を起動する際に押下するための強制電源ＯＦＦボタン、強制電波ＯＦＦに関する画面を起動する際に押下するための強制電波ＯＦＦボタン、マナーモード利用の推奨に関する画面を起動する際に押下するための携帯マナー推奨ボタン、及び無音モード利用の推奨に関する画面を起動する際に押下するための携帯無音推奨ボタンを備えている。
【００６７】
尚、詳細設定画面の一例として、図１３に示すように強制電波ＯＦＦに関する画面として装置詳細設定画面１３００が上げられる。
【００６８】
装置詳細設定画面１３００は、携帯電話１０５に対して、携帯電話１０５の使用を制限するエリア内に足を踏み入れていることを警告するメッセージの表示の有効、あるいは無効を設定したり、携帯電話１０５の使用を制限するエリア内に足を踏み入れていることを警告する警告音を鳴動させるか否かを設定することが可能である。
【００６９】
これらの設定以外にも、当該警告音の音量や、当該エリアから離れた場合、装置１０３において、使用制限設定値を解除し忘れた場合、所定時間経過後、自動的に解除する際の当該所定時間を設定することも可能である。
【００７０】
更に、携帯電話１０５の使用を制限するエリア内に足を踏み入れていることを警告するために、携帯電話１０５のディスプレイ７１１の背景色や文字色を設定することも可能である。
【００７１】
図１５に示す装置登録画面１５００は、装置１０２に関しての登録を行うための画面であり、装置場所名に表示された場所に設置されている装置１０２に対して、デフォルトの使用制限設定値の設定を行う。
【００７２】
図１６に示す一括設定画面１６００は、複数の装置１０２に関して使用制限設定値を設定するための画面であり、装置１０２の装置名を入力し、検索ボタンを押下することで、検索結果を一覧表示し、表示された各装置に対して、強制電源ＯＦＦ、強制電話ＯＦＦ、携帯マナー推奨、携帯無音推奨等の使用制限設定値を設定するための各ボタン、使用制限設定値を一括して解除するための一括解除ボタンを備えている。
【００７３】
装置１０２は装置全体としての使用制限設定値を外部メモリ４１３にて保持しており、装置１０２の装置設定画面１２００及び装置詳細設定画面１３００にて設定を変更することで、装置１０２から送信する使用制限ＳＭＳの種別や、装置１０１で表示する警告メッセージ及び警告音を切り替えることができる。
【００７４】
なお、装置１０２の現在の設定値は、外部ネットワークを介してサーバ１０４へ通知し、サーバ１０４から設定変更があった場合には設定値を受け取り、装置１０２の設定に反映する。
【００７５】
携帯電話１０５は使用制限設定画面１７００（図１７参照）により、ＳＭＳ受信時にその使用制限を有効とするか否かの設定を変更することが可能であり、使用制限設定値は不揮発記憶領域７１２に保持する。
【００７６】
使用制限設定画面１７００は、マナーモード推奨、無音モード推奨、画面消灯等を示すＳＭＳを受信した際に、受信した設定値を有効にするか無効にするのかを設定することが可能である。
【００７７】
装置１０１は、携帯電話１０５のユーザに対して携帯電話の使用制限エリアに足を踏み入れていることを警告するメッセージ（図８、図９、図１０、及び図１１参照）の表示及び警告音鳴動により通知する。尚、装置１０１で表示する警告メッセージ及び警告音の音量は、装置１０２の装置詳細設定画面１３００にて設定された設定値に従う。
【００７８】
次に、装置１０２は、装置設定画面１２００で設定されている使用制限設定値に従って、携帯電話１０５に対して使用制限ＳＭＳを発信する。携帯電話の使用制限ＳＭＳには、使用制限設定値および装置詳細設定画面１３００で設定されている自動解除までの時間等の情報が含まれている。
【００７９】
携帯電話１０５は、装置１０２から受信した使用制限ＳＭＳ及び携帯電話１０５の使用制限設定画面１７００で設定された使用制限設定値に従って、使用制限を行うか否かの判定を行い、使用制限の必要があると判定した場合は、使用制限に関する処理を行う。判定方法は、後述する。
【００８０】
装置１０３は、携帯電話の使用制限解除ＳＭＳを発信する。携帯電話１０５は装置１０３から受信した使用制限解除ＳＭＳにより、使用制限を解除する処理を行う。
【００８１】
サーバ１０４は、装置登録画面１５００にてあらかじめ登録を行った装置１０２に対して、一括設定画面１６００より一括で使用制限設定値を反映することができる。装置１０２は、サーバ１０４から、一括で使用制限設定値を変更する要求を受け取り、装置設定画面１２００及び装置詳細設定画面１３００に出力したり、その内容に従った携帯電話の使用制限ＳＭＳの発信等を行う。
【００８２】
また、装置１０２における装置設定画面１２００及び装置詳細設定画面１３００より設定を変更した場合には、サーバ１０４に内容が通知され、サーバ１０４における装置ステータス一覧画面１４００（図１４参照）に反映される。
【００８３】
装置ステータス一覧画面１４００は、各装置１０２に対して設定された使用制限設定値を一覧表示するための画面であり、当該一覧表示するための表示領域や、一括設定画面１６００を起動させるための一括設定モードボタン、装置登録画面１５００を起動させるための装置追加ボタンを備えている。
【００８４】
なお、装置１０２とサーバ１０４との使用制限設定値に関して、何れの設定値を優先的に使用するかについては、サーバ１０４の一括設定値、装置１０２での個別設定値、サーバ１０４でのデフォルト設定値の順に優先される。
【００８５】
また、使用制限の判定方法としては、装置１０２から発信される使用制限ＳＭＳと携帯電話１０５の使用制限設定値の優先度は、強制モード（強制的に電源をＯＦＦする又は強制的に電波をＯＦＦする等）の場合は、装置１０２からの使用制限ＳＭＳ、携帯電話１０５の使用制限設定値の順に優先される。
【００８６】
一方、推奨モード（電源ＯＦＦ、電波ＯＦＦ、ディスプレイ照明ＯＦＦ、静音モード等を推奨する種類のもの）の場合は、携帯電話１０５の使用制限設定値、使用制限ＳＭＳの順に優先される。
【００８７】
以下、図１８を参照して、本実施形態に係る携帯電話システムにおける携帯電話の使用エリアに応じて、携帯電話の使用を制限する処理の前準備について説明する。尚、図１８では、携帯電話１０５における前準備の処理について説明する。
【００８８】
ステップＳ１８０１では、携帯電話１０５に備えられる「使用制限設定」メニュー（不図示）をユーザが選択して起動すると、使用制限設定画面１７００が起動される。この際、後述のステップＳ１８０４により、前回設定変更が行われた際の設定値、又は設定値が存在しない場合は、携帯電話１０５の出荷時のデフォルト設定値
が、不揮発記憶領域７１２より読みだされ、使用制限設定画面１７００に出力される。
【００８９】
ステップＳ１８０３では、使用制限設定画面１７００のＯＫボタンが押下されたか否かを判定し、押下されたと判定した場合、ステップＳ１８０４へ処理を進め、押下されたと判定しない場合は、処理を終了する。
【００９０】
ステップＳ１８０４では、ステップＳ１８０２において、ユーザにより変更された設定値がステップＳ１８０３のＯＫボタン押下により確定された場合に、携帯電話１０５の不揮発記憶領域７１２に記憶する。
【００９１】
尚、ここで記憶された使用制限設定値は、後述のＳ２３０５、Ｓ２３０６の処理で使用される。
【００９２】
以下、図１９を参照して、本実施形態に係る携帯電話システムにおける携帯電話の使用エリアに応じて、携帯電話の使用を制限する処理の前準備について説明する。
【００９３】
図１９に示すフローチャートを用いて、サーバ１０４での装置の登録処理及び装置１０１及び装置１０２への設定値の反映処理について説明する。
【００９４】
ステップS１９０１では、ユーザによって装置登録画面１５００において、ＯＫボタンが押下されたか否かを判定し、押下されたと判定した場合は、ステップＳ１９０２へ処理を進め、押下されたと判定しない場合は、処理を終了する。
【００９５】
ステップＳ１９０２では、ステップＳ１９０１によってサーバ１０４における装置登録画面１５００より、ユーザが装置の登録を行った場合に、その内容を外部メモリ６１１に記憶する。ただし、サーバ１０４の装置登録上限数をオーバーした場合には、登録は出来ない。
【００９６】
そして、ステップＳ１９０３では、サーバ１０４は、装置１０２に対してデフォルトの使用制限設定値を送信し、ステップＳ１９０４では、装置１０２は、サーバ１０４からの使用制限設定値を受信する。
【００９７】
ステップＳ１９０５では、人感センサ４１４にて検知がなされたか否かを判定し、検知されたと判定しない場合は、ステップＳ１９０６へ処理を進め、ステップＳ１９０６では、ステップＳ１９０４において受信した使用制限設定値を外部メモリ４１３へ記憶する。
【００９８】
外部メモリ４１３には、使用制限設定値に関する情報を記憶するためのテーブルが備えられており、図２５に示すように、装置テーブルは、使用制限設定値の種別を一意に識別するためのＩＤを示すモードＩＤ２７０１、携帯電話１０５の使用を制限するエリア内に足を踏み入れていることを携帯電話１０５に対して警告するメッセージを表示するか否かを示す警告表示２７０２、携帯電話１０５の使用を制限するエリア内に足を踏み入れていることを携帯電話１０５に対して警告する警告音を鳴動させるか否かを示す警告音２７０３、当該警告音の音量を示す警告音音量２７０４、当該エリアから離れた場合、装置１０３において使用制限設定値を解除し忘れた場合、所定時間経過後、自動的に解除する際の当該所定時間を示す自動解除時間２７０５、警告時の携帯電話１０５のディスプレイ７１１の背景色を示す背景色２７０６、警告時の携帯電話１０５のディスプレイ７１１に表示された文字色を示す文字色２７０７等の情報から構成されている。
【００９９】
ここで記憶した使用制限設定値は、後述するステップＳ２３０３において利用され、また、装置設定画面１２００及び装置詳細設定画面１３００にも出力される。
【０１００】
その後、ステップＳ１９０７では、装置１０２は、装置１０１へも使用制限設定値の送信を行い、装置１０１は、その内容に従って、後述のステップＳ２３０１、ステップＳ２３０２の処理を行う。
【０１０１】
なお、ステップＳ１９０６では、装置１０２は、サーバ１０４からの使用制限設定値に従って、設定を反映するが、ステップＳ１９０５にて、人感センサ４１４が感知している間は設定を反映しない。
【０１０２】
これは装置１０１から携帯電話１０５を手にしているユーザに通知された内容と、実際に装置１０２から発信される使用制限ＳＭＳの内容に相違があった場合に、携帯電話１０５を手にしているユーザが把握している制限と異なる使用制限を行ってしまうことを回避するためである。ただし、基本的には装置１０１及び装置１０２には装置群の管理者以外は居ない状況で設定の切り替えを行うことを推奨する。
【０１０３】
以下、図２０を参照して、本実施形態に係る携帯電話システムにおける携帯電話の使用エリアに応じて、携帯電話の使用を制限する処理の前準備について説明する。図２０では、装置１０２における設定値の変更処理及びサーバ１０４への設定値を反映する処理について説明する。
【０１０４】
ステップＳ２００１では、装置設定画面１２００及び装置詳細設定画面１３００にて、ＯＫボタンが押下されたか否かを判定し、押下されたと判定した場合は、ステップＳ２００１へ処理を進め、押下されたと判定しない場合は、処理を終了する。
【０１０５】
ステップＳ２００２では、ステップＳ２００１において入力された設定値を外部メモリ４１３に記憶し、ここで記憶した使用制限設定値は、後述のステップＳ２３０３の処理で使用され、装置設定画面１２００及び装置詳細設定画面１３００にも反映される。
【０１０６】
ステップＳ２００３では、装置１０２は、装置１０１へ使用制限設定値の送信を行う。装置１０１は送信された使用制限設定値に従って、後述のステップＳ２３０１、ステップＳ２３０２の処理を行う。
【０１０７】
ステップＳ２００４では、装置１０２は、サーバ１０４へ設定の変更が生じたことを通知し、ステップＳ２００５では、サーバ１０４は、装置１０２からの使用制限設定値を受信し、ステップＳ２００６では、その内容を外部メモリ６１１に記憶する。
【０１０８】
外部メモリ６１１には、図２５に示すように、装置１０２に対して設定した使用制限設定値に関する情報を記憶するための各テーブルが備えられており、メインテーブルは、装置１０２を一意に識別するためのＩＤ２５０１、装置１０２の名称を示す設置者名２５０２、使用制限設定値を示すモード２５０３、モード２５０３に対しての詳細な内容を記憶した詳細設定テーブルとの関係を特定するための詳細設定２５０４等の情報から構成されている。
【０１０９】
また、詳細設定テーブルは、メインテーブルの詳細設定２５０４との対応を特定するためのＩＤ２６０１、携帯電話１０５の使用を制限するエリア内に足を踏み入れていることを携帯電話１０５に対して警告するメッセージを表示するか否かを示す警告表示２６０２、携帯電話１０５の使用を制限するエリア内に足を踏み入れていることを携帯電話１０５に対して警告する警告音を鳴動させるか否かを示す警告音２６０３、当該警告音の音量を示す警告音音量２６０４、当該エリアから離れた場合、装置１０３において使用制限設定値を解除し忘れた場合、所定時間経過後、自動的に解除する際の当該所定時間を示す自動解除時間２６０５、警告時の携帯電話１０５のディスプレイ７１１の背景色を示す背景色２６０６、警告時の携帯電話１０５のディスプレイ７１１に表示された文字色を示す文字色２６０７等の情報から構成されている。
【０１１０】
以下、図２１を参照して、本実施形態に係る携帯電話システムにおけるサーバから装置へ一括して設定値を設定する処理について説明する。
【０１１１】
図２１に示すフローチャートでは、サーバ１０４の一括設定処理及び装置１０１及び装置１０２への反映処理について説明する。
【０１１２】
ステップＳ２１０１では、装置ステータス一覧画面１４００を起動し、ステップＳ２１０２では、ステップＳ２１０１における装置ステータス一覧画面１４００に対してのユーザ操作によって外部メモリ６１１の各テーブルから取得したデータに基づいて装置ステータス一覧画面１４００に装置のステータスを一覧表示する。
【０１１３】
ステップＳ２１０３では、装置ステータス一覧画面１４００の「一括設定モード
」ボタンが押下されたか否かを判定し、押下されたと判定した場合は、ステップＳ２１０４へ処理を進める。
【０１１４】
ステップＳ２１０４では、一括設定画面１６００を起動し、ステップＳ２１０５では、一括設定画面１６００の各設定ボタン（強制電源ＯＦＦ、強制電波ＯＦＦ、携帯マナー推奨、携帯無音推奨）が押下された状態で、一括設定画面１６００のＯＫボタンが押下されたか否かを判定し、押下されたと判定した場合は、ステップＳ２１０６へ処理を進め、押下されたと判定しない場合は、本処理を終了する。
【０１１５】
ステップＳ２１０６では、設定変更の対象となる装置１０２に対して一括して使用制限設定値を送信し、ステップＳ２１０７では、装置１０２は、ステップＳ２１０６においてサーバ１０４からの使用制限設定値を受信する。
【０１１６】
ステップＳ２１０８では、人感センサ４１４にて検知がなされたか否かを判定し、検知されたと判定しない場合は、ステップＳ２１０９へ処理を進め、ステップＳ２１０９では、ステップＳ２１０７において受信した使用制限設定値を外部メモリ４１３へ記憶する。
【０１１７】
ステップＳ２１０９では、現在の装置１０２で設定している使用制限設定値をバックアップデータとして外部メモリ４１３に記憶した上で、ステップＳ２１１０では、ステップＳ２１０７にて受信した使用制限設定値を外部メモリ４１３に記憶する。
【０１１８】
バックアップデータとは、図２５に示す装置テーブルに於いて、２レコードが図示されているが、上段のレコード（図では、「設定中」のレコード）が、受信した使用制限設定値に関する情報を示しており、下段のレコード（図では、「前回」のレコード）が、バックアップデータであることを示している。
【０１１９】
尚、ステップＳ２１０９でバックアップデータを記憶する理由は、サーバ１０４からの一括設定解除時（図２２）、後述のステップＳ２２０９にて装置１０２がもともと設定していた値に戻すためである。
【０１２０】
ここで記憶した使用制限設定値は、後述のステップＳ２３０３の処理で使用され、
また、装置設定画面１２００及び装置詳細設定画面１３００にも反映される。
【０１２１】
その後、ステップＳ２１１１では、装置１０２は、装置１０１へ使用制限設定値の送信を行い、装置１０１は、その内容に従って、後述のステップＳ２３０１、ステップＳ２３０２の処理を行う。
【０１２２】
なお、前述の図１９でも説明した通り、携帯電話１０５のユーザが把握している制限と異なる使用制限を行ってしまうことを回避するため、ステップＳ２１０８にて人感センサ４１４が感知している間は、ステップＳ２１０９からステップＳ２１１１の処理を行わない。
【０１２３】
以下、図２２を参照して、本実施形態に係る携帯電話システムにおけるサーバから装置へ一括して設定値を解除する処理について説明する。
【０１２４】
図２２に示すフローチャートを用いて、サーバ１０４の一括設定解除処理及び装置１０１及び装置１０２への反映処理について説明する。
【０１２５】
ステップＳ２２０１では、装置ステータス一覧画面１４００を起動し、ステップＳ２２０２では、ステップＳ２２０１における装置ステータス一覧画面１４００に対してのユーザ操作によって外部メモリ６１１の各テーブルから取得したデータに基づいて装置ステータス一覧画面１４００に装置のステータスを一覧表示する。
【０１２６】
ステップＳ２２０３では、装置ステータス一覧画面１４００の「一括設定モード
」ボタンが押下されたか否かを判定し、押下されたと判定した場合は、ステップＳ２２０４へ処理を進める。
【０１２７】
ステップＳ２２０４では、一括設定画面１６００を起動し、ステップＳ２２０５では、一括設定画面１６００の一括解除ボタンが押下された状態で、一括設定画面１６００のＯＫボタンが押下されたか否かを判定し、押下されたと判定した場合は、ステップＳ２２０６へ処理を進め、押下されたと判定しない場合は、本処理を終了する。
【０１２８】
ステップＳ２２０６では、設定変更対象の装置１０２に対して一括して設定を解除する旨を通知し、ステップＳ２２０７では、装置１０２は、サーバ１０４からの使用制限設定値を解除する旨を受信し、ステップＳ２２０８では、前述のステップＳ２１０９にて記憶したバックアップデータを外部メモリ４１３から取得し、現在の使用制限設定値として外部メモリ４１３に反映する。
【０１２９】
ここで記憶した使用制限設定値は、後述のステップＳ２３０３の処理で使用され、また、装置設定画面１２００及び装置詳細設定画面１３００にも出力される。
【０１３０】
そして、ステップＳ２１１０では、装置１０２は、装置１０１へ使用制限設定値の解除通知を行い、装置１０１は、その内容に従って、後述のステップＳ２３０１、ステップＳ２３０２の処理を行う。
【０１３１】
なお、前述の図１９及び図２０でも説明した通り、携帯電話１０５のユーザが把握している制限と異なる使用制限を行ってしまうことを回避するため、ステップＳ２２０８にて人感センサが感知している間は、ステップＳ２２０９及びステップＳ２２１０の処理を行わない。
【０１３２】
以下、図２３を参照して、本実施形態に係る携帯電話システムにおける使用制限設定実行処理について説明する。
【０１３３】
図２３に示すフローチャートでは、装置１０１からの使用制限通知及び装置１０２からの使用制限実行処理と携帯電話１０５への使用制限反映処理について説明する。
【０１３４】
ステップＳ２３０１では、装置１０１の近辺に移動してきた携帯電話１０５に対して、装置テーブルに記憶された使用制限設定値に基づいて、警告メッセージ８００、９００、１０００、及び１１００の何れかを表示し、次のステップＳ２３０２では、装置１０１の近辺に移動してきた携帯電話１０５に対して、装置テーブルに記憶された使用制限設定値に基づいて、警告音の鳴動を指示する。
【０１３５】
ステップＳ２３０３では、装置１０２は、メインテーブル及び詳細設定テーブルに記憶された使用制限設定値に基づいて、使用制限ＳＭＳをＳＭＳ発信機４１５より携帯電話１０５へ送信する。
【０１３６】
ステップＳ２３０４では、携帯電話１０５は、ＳＭＳ受信部７０２で使用制限ＳＭＳを受信すると、ステップＳ２３０５では、使用制限ＳＭＳに含まれる使用制限設定値に関する情報を用いて、強制的に使用制限をかけるか否かの判定を使用制限判定部７０４で行い、強制的に使用制限をかける（強制電源ＯＦＦ又は強制電波ＯＦＦ等）と判定した場合は、ステップＳ２３０８へ処理を進め、強制的に使用制限をかけると判定しない場合は、ステップＳ２３０６へ処理を進める。
【０１３７】
ステップＳ２３０６では、強制的に使用制限をかけない（電源ＯＦＦや電波ＯＦＦ、ディスプレイ照明ＯＦＦ、静音モード等を推奨する種類のもの）場合の処理を実行する際に、使用制限ＳＭＳに含まれる使用制限設定値に関する情報と携帯電話１０５の使用制限設定画面１７００にて設定した使用制限設定値とを比較する。
【０１３８】
ステップＳ２３０７では、装置１０２から受信した使用制限を有効とするか否かを判定し、有効とすると判定した場合、ステップＳ２３０８へ処理を進め、有効としない場合は、本処理を終了する。
【０１３９】
尚、判定方法としては、前述したように、推奨モード（電源ＯＦＦ、電波ＯＦＦ、ディスプレイ照明ＯＦＦ、静音モード等を推奨する種類のもの）の場合は、携帯電話１０５の使用制限設定値、使用制限ＳＭＳの順に優先される。
【０１４０】
ステップＳ２３０８では、携帯電話１０５は、制限モード切り替え部７０５により、通信制御部７０７又は電源部７０８、振動呼び出し部７０９、電子音呼び出し部７１０、ディスプレイ７１１への制御を行い、電源ＯＦＦ状態や強制電波ＯＦＦ状態、ディスプレイ照明ＯＦＦ、あるいは静音モード等への切り替えを行う。
【０１４１】
以下、図２４を参照して、本実施形態の携帯電話システムにおける使用制限設定解除処理について説明する。
【０１４２】
図２４に示すフローチャートを用いて、装置１０３からの使用制限解除処理と携帯電話１０５への使用制限解除反映処理について説明する。
【０１４３】
ステップＳ２４０１では、装置１０３の近辺に移動してきた携帯電話１０５に対して、使用制限解除ＳＭＳをＳＭＳ発信機５０７より送信し、ステップＳ２４０２では、携帯電話１０５は、ＳＭＳ受信部７０２で使用制限解除ＳＭＳを受信する。
【０１４４】
ステップＳ２４０３では、携帯電話１０５がステップＳ２４０２の使用制限解除ＳＭＳが受信できなかった場合に備え、装置１０２における装置詳細設定画面１３００で設定された一定時間が経過後に、使用制限設定前の状態に復旧する。尚、復旧は、不揮発記憶領域７１２に記憶しておいた使用制限設定前の設定値を用いて復旧を行う。
【０１４５】
ステップＳ２４０４では、制限モード切り替え部７０５により、通信制御部７０７又は電源部７０８、振動呼び出し部７０９、電子音呼び出し部７１０、ディスプレイ７１１への制御を行い、装置１０２による使用制限設定前の状態に復旧する。
【０１４６】
以上、本発明に依れば、ユーザが使用する携帯電話のエリアに応じて、ユーザが所望する使用設定を考慮しつつ、携帯電話の使用制限をかけることによって、効果的な使用制限方法を実現することが可能となる。
【０１４７】
また、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。
【０１４８】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１４９】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１５０】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５１】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１５２】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１５３】
１００    携帯電話システム
１０１    装置
１０２    装置
１０３    装置
１０４    サーバ
１０５    携帯電話
３０１    ＣＰＵ
３０２    ＲＡＭ
３０３    ＲＯＭ
３０４    システムバス
３０５    ビデオコントローラ
３０６    通信Ｉ／Ｆコントローラ
３０７    サウンドコントローラ
３０８    ディスプレイ
３０９    スピーカー
４０１    ＣＰＵ
４０２    ＲＡＭ
４０３    ＲＯＭ
４０４    システムバス
４０５    入力コントローラ
４０６    ビデオコントローラ
４０７    メモリコントローラ
４０８    通信Ｉ／Ｆコントローラ
４０９    センサコントローラ
４１０    ＳＭＳコントローラ
４１１    キーボード
４１２    ディスプレイ
４１３    外部メモリ
４１４    人感センサ
４１５    ＳＭＳ発信機
５０１    ＣＰＵ
５０２    ＲＡＭ
５０３    ＲＯＭ
５０４    システムバス
５０５    通信Ｉ／Ｆコントローラ
５０６    ＳＭＳコントローラ
５０７    ＳＭＳ発信機
６０１    ＣＰＵ
６０２    ＲＡＭ
６０３    ＲＯＭ
６０４    システムバス
６０５    入力コントローラ
６０６    ビデオコントローラ
６０７    メモリコントローラ
６０８    通信Ｉ／Ｆコントローラ
６０９    キーボード
６１０    ディスプレイ
６１１      外部メモリ
７０１    ＳＭＳ発信部
７０２    ＳＭＳ受信部
７０３    制御部
７０４    使用制限判定部
７０５    制限モード切り替え部
７０６    キー操作部
７０７    通信制御部
７０８    電源部
７０９    振動呼び出し部
７１０    電子音呼び出し部
７１１    ディスプレイ
７１２    不揮発記憶領域
【図１】
2013135461.tif 000003
【図２】
2013135461.tif 000004
【図３】
2013135461.tif 000005
【図４】
2013135461.tif 000006
【図５】
2013135461.tif 000007
【図６】
2013135461.tif 000008
【図７】
2013135461.tif 000009
【図８】
2013135461.tif 000010
【図９】
2013135461.tif 000011
【図１０】
2013135461.tif 000012
【図１１】
2013135461.tif 000013
【図１２】
2013135461.tif 000014
【図１３】
2013135461.tif 000015
【図１４】
2013135461.tif 000016
【図１５】
2013135461.tif 000017
【図１６】
2013135461.tif 000018
【図１７】
2013135461.tif 000019
【図１８】
2013135461.tif 000020
【図１９】
2013135461.tif 000021
【図２０】
2013135461.tif 000022
【図２１】
2013135461.tif 000023
【図２２】
2013135461.tif 000024
【図２３】
2013135461.tif 000025
【図２４】
2013135461.tif 000026
【図２５】
2013135461.tif 000027